(57)【要約】      （修正有）【課題】複数の電力機器のうちの一の電力機器の浸水量の推定の際に、浸水量情報の誤選択が発生しない浸水量推定装置を提供する。【解決手段】複数の電力機器を夫々所定時間だけ加熱したときの前記複数の電力機器夫々の温度上昇幅と、前記複数の電力機器夫々の温度上昇幅夫々に対応する浸水量との関係を示す複数の浸水量情報が記憶されている記憶装置と、前記複数の電力機器に付されている前記識別情報を読み取る読取装置と、前記読取装置によって前記識別情報が読み取られた前記一の電力機器を前記所定時間だけ加熱した際の前記一の電力機器の温度上昇幅と、前記記憶装置に記憶されている前記複数の浸水量情報のうちの前記読取装置によって前記識別情報が読み取られた前記一の電力機器に対応する一の浸水量情報と、に基づいて前記一の電力機器の浸水量を推定する推定装置を、前記電力機器における前記識別情報が付されている面に取り付ける。【選択図】図１２
2015141020.tif 000002
【特許請求の範囲】
【請求項１】
夫々を識別するための識別情報が夫々付されている複数の電力機器のうちの一の電力機器の浸水量を推定する浸水量推定装置であって、
前記複数の電力機器を夫々所定時間だけ加熱したときの前記複数の電力機器夫々の温度上昇幅と、前記複数の電力機器夫々の温度上昇幅夫々に対応する浸水量との関係を示す複数の浸水量情報が記憶されている記憶装置と、
前記複数の電力機器に付されている前記識別情報を読み取る読取装置と、
前記読取装置によって前記識別情報が読み取られた前記一の電力機器を前記所定時間だけ加熱した際の前記一の電力機器の温度上昇幅と、前記記憶装置に記憶されている前記複数の浸水量情報のうちの前記読取装置によって前記識別情報が読み取られた前記一の電力機器に対応する一の浸水量情報と、に基づいて前記一の電力機器の浸水量を推定する推定装置と、を備え、
前記電力機器における前記識別情報が付されている面に取り付けられる
ことを特徴とする浸水量推定装置。
【請求項２】
前記識別情報は、前記電力機器に貼付されるシールに記されている
ことを特徴とする請求項１に記載の浸水量推定装置。
【請求項３】
前記読取装置が設けられる基体、を更に備え、
前記識別情報は、バーコードとして前記シールに記されており、
前記シールは、前記電力機器における前記基体が取り付けられるべき取付位置に対応する位置に貼付され、
前記基体は、前記読取装置が前記バーコードと対向して前記識別情報を読み取れるように、前記シールを目印として前記電力機器に取り付けられる
ことを特徴とする請求項２に記載の浸水量推定装置。
【請求項４】
前記シールの色は、前記電力機器の色とは異なっており、
前記シールは、前記電力機器に貼付された際に、前記取付位置の周囲を取り囲む環形状を呈しており、
前記基体は、前記シールに取り囲まれている前記取付位置に取り付けられる
ことを特徴とする請求項３に記載の浸水量推定装置。
【請求項５】
前記シールの内形は、前記基体の外形に対応する形状を呈しており、
前記基体は、前記基体の外形が前記シールの内形に沿うように取り付けられる
ことを特徴とする請求項４に記載の浸水量推定装置。
【請求項６】
前記電力機器は、開閉器である
ことを特徴とする請求項１に記載の浸水量推定装置。
【請求項７】
前記識別情報は、前記開閉器の底面に付されている
ことを特徴とする請求項６に記載の浸水量推定装置。
【発明の詳細な説明】
【技術分野】
【０００１】
本発明は、浸水量推定装置に関する。
【背景技術】
【０００２】
例えば、開閉器の浸水量を推定する浸水量推定装置が知られている（例えば特許文献１）。
【先行技術文献】
【特許文献】
【０００３】
【特許文献１】特開２０１０―２１７１０６号公報
【発明の概要】
【発明が解決しようとする課題】
【０００４】
例えば、特許文献１の浸水量装置は、複数の開閉器を夫々所定時間だけ加熱したときの複数の開閉器夫々の温度上昇幅と、複数の開閉器夫々の温度上昇幅夫々に対応する浸水量との関係を示す複数の浸水量情報に基づいて、複数の開閉器のうちの一の開閉器の浸水量を推定している。この浸水量推定装置において一の開閉器の浸水量を推定する場合、複数の浸水量情報から推定対象としての一の開閉器に対応する一の浸水量情報が選択される。この一の浸水量情報の選択は、例えば、作業者等の手作業によって行われるために、一の浸水量情報の誤選択が発生し、浸水量の推定精度が低下する虞がある。
【課題を解決するための手段】
【０００５】
前述した課題を解決する主たる本発明は、夫々を識別するための識別情報が夫々付されている複数の電力機器のうちの一の電力機器の浸水量を推定する浸水量推定装置であって、前記複数の電力機器を夫々所定時間だけ加熱したときの前記複数の電力機器夫々の温度上昇幅と、前記複数の電力機器夫々の温度上昇幅夫々に対応する浸水量との関係を示す複数の浸水量情報が記憶されている記憶装置と、前記複数の電力機器に付されている前記識別情報を読み取る読取装置と、前記読取装置によって前記識別情報が読み取られた前記一の電力機器を前記所定時間だけ加熱した際の前記一の電力機器の温度上昇幅と、前記記憶装置に記憶されている前記複数の浸水量情報のうちの前記読取装置によって前記識別情報が読み取られた前記一の電力機器に対応する一の浸水量情報と、に基づいて前記一の電力機器の浸水量を推定する推定装置と、を備え、前記電力機器における前記識別情報が付されている面に取り付けられることを特徴とする浸水量推定装置である。
【０００６】
本発明の他の特徴については、添付図面及び本明細書の記載により明らかとなる。
【発明の効果】
【０００７】
本発明によれば、電力機器の浸水量の推定精度を向上させることができる。
【図面の簡単な説明】
【０００８】
【図１】本発明の第１実施形態における開閉器と検出器とを示す正面図である。
【図２】本発明の第１実施形態における開閉器と検出器とを示す斜視図である。
【図３】本発明の第１実施形態における検出器を示すブロック図である。
【図４】本発明の第１実施形態における表側から見た状態の検出器を示す斜視図である。
【図５】本発明の第１実施形態における裏側から見た状態の検出器を示す斜視図である。
【図６】本発明の第１実施形態における検出器の内部を示す平面図である。
【図７】本発明の第１実施形態における検出器の内部を示す側面図である。
【図８】本発明の第１実施形態におけるリモコンを示すブロック図である。
【図９】本発明の第１実施形態におけるリモコンのボタン等を示す図である。
【図１０】本発明の第１実施形態における浸水量情報を示す図である。
【図１１】本発明の第１実施形態における開閉器に貼付されたシールを示す図である。
【図１２】本発明の第１実施形態における識別情報の読み取りが可能な状態の検出器と開閉器を示す図である。
【図１３】本発明の第１実施形態における識別情報の読み取りが可能でない状態の検出器と開閉器を示す図である。
【図１４】本発明の第２実施形態における開閉器に貼付されたシールを示す図である。
【発明を実施するための形態】
【０００９】
本明細書および添付図面の記載により、少なくとも以下の事項が明らかとなる。
【００１０】
[第１実施形態]
＝＝＝検出器＝＝＝
以下、図１乃至図７を参照して、本実施形態における検出器について説明する。図１は、本実施形態における開閉器と検出器とを示す正面図である。図２は、本実施形態における開閉器と検出器とを示す斜視図である。図３は、本実施形態における検出器を示すブロック図である。図４は、本実施形態における表側から見た状態の検出器を示す斜視図である。図５は、本実施形態における裏側から見た状態の検出器を示す斜視図である。図６は、本実施形態における検出器の内部を示す平面図である。尚、検出器１における裏側（−Ｚ１）に設けられている読取装置７１、吸盤１３６、面状ヒータ１３７、温度センサ１３８は、説明の便宜上、破線で示されている。図７は、本実施形態における検出器の内部を示す側面図である。尚、読取装置７１、温度センサ１３８は、説明の便宜上、破線で示されている。
【００１１】
＝概要＝
電柱６１の腕金６２には、開閉器５が設けられている。
【００１２】
検出器１（浸水量推定装置）は、例えば、開閉器５等の電力機器の浸水量を推定する装置である。尚、検出器１における外形を形成している筺体が基体に相当する。検出器１は、開閉器５におけるシール８（図１１）が貼付されている底面５１に取り付けられる。検出器１は、検出器１を開閉器５に取り付けるための長尺状の取付冶具（不図示）を用いて開閉器５に取り付けられることとしてもよい。尚、検出器１は、検出器１から離れた位置においてリモコン２によって制御される。
【００１３】
＝ハードウエア＝
検出器１は、通信部１１、表示部１２、機構部１３、処理部１４（推定装置）、記憶部１５（記憶装置）及び電源部１６を有する。通信部１１は、リモコン２との無線通信やＰＣ（Personal Computer）とのＵＳＢ（Universal Serial Bus）通信を行う部分であり、例えば、無線送受信機やＵＳＢ端子等によって実現される。表示部１２は、処理部１４からの指示により各種表示を行う部分であり、例えば、主電源や真空ポンプの入切を示すランプ等によって実現される。機構部１３は、検出器１が機能するための各種部品であり、例えば、主電源ボタン、真空ポンププルスイッチや吸盤、ヒータ、温度センサ等である。
【００１４】
処理部１４は、各部間のデータの受け渡しを行うととともに、検出器１全体の制御を行うものであり、ＣＰＵ（Central Processing Unit）が所定のメモリに格納されたプログラムを実行することによって実現される。尚、処理部１４については、後述する。記憶部１５は、処理部１４からデータを記憶したり、記憶したデータを読み出したりするものであり、例えば、フラッシュメモリやハードディスク装置等の不揮発性記憶装置によって実現される。電源部１６は、検出器１の各部に必要な電力を供給する主電源であり、例えば、電池によって実現される。
【００１５】
＝外観等＝
検出器１（図４）は、例えば、１１ｃｍ×１１ｃｍ×６ｃｍ程度の略矩形柱形状を呈する。検出器１は、主電源ボタン１３１、真空ポンププルスイッチ１３２、ＵＳＢ端子１３３及び電池取り出し蓋１３４を、前面（−Ｙ１）に有する。
【００１６】
主電源ボタン１３１は、検出器１の電源部１６を入切するためのボタンである。真空ポンププルスイッチ１３２は、検出器１を開閉器５に固定するための真空ポンプを切るためのプルスイッチである。ＵＳＢ端子１３３は、ＰＣ等から浸水量情報を取り込んだり、計測データをやりとりしたりするための端子である。電池取り出し蓋１３４は、電源部１６としての電池の交換等をする際に引き出す蓋である。
【００１７】
検出器１は、更に、主電源ランプ１２１、真空ポンプランプ１２２、計測中ランプ１２３、電池注意ランプ１２４、浸水量ランプ１２５及び取付治具固定領域１３５を、表側（＋Ｚ１）である上面に有する。
【００１８】
主電源ランプ１２１は、主電源ボタン１３１が入になると点灯し、切になると消灯する。真空ポンプランプ１２２は、真空ポンプが入になると点灯し、切になると消灯する。計測中ランプ１２３は、開閉器５をヒータで加熱している間に点灯し続けるランプであり、ヒータが入になると点灯し、ヒータが切になると消灯する。電池注意ランプ１２４は、電池の残量が十分なときには消灯のままであり、電池の残量が少なくなって交換が必要になったときに注意を促すために点灯する。
【００１９】
浸水量ランプ１２５は、５個のランプにより開閉器５内の浸水量を表示するランプであり、それぞれ色を分けて異なる浸水量水位の範囲を示す。例えば、左側（−Ｘ１）から１番目のランプは、緑色で浸水無を示す。２番目のランプは、青色で１ｍｍ前後を示す。３番目のランプは、黄色で３ｍｍ前後を示す。４番目のランプは、橙色で６ｍｍ前後を示す。５番目のランプは、赤色で１０ｍｍ前後以上を示す。取付治具固定領域１３５には、検出器１を開閉器５に取り付ける際に、取付冶具が固定される。
【００２０】
検出器１（図５）は、更に、吸盤１３６、読取装置７１、面状ヒータ１３７及び温度センサ１３８を、裏側である底面側（−Ｚ１）に有する。
【００２１】
吸盤１３６は、検出器１を開閉器５に固定するために用いられる。面状ヒータ１３７は、開閉器５を加熱するために用いられる。温度センサ１３８は、開閉器５の温度を測定するために用いられる。読取装置７１は、開閉器５に貼付されているシール８に対してバーコード８２として記されている識別情報を読み取るための例えばバーコードリーダである。
【００２２】
検出器１（図６）は、更に、真空ポンプ１３９、スプリング１３Ａ、制御基板１３Ｂ及び電池１３Ｃを有する。
【００２３】
真空ポンプ１３９は、吸盤１３６の吸着面から吸気するポンプであり、その吸気によって検出器１が開閉器５に固定される。スプリング１３Ａは、検出器１の本体と、面状ヒータ１３７及び温度センサ１３８との間に介設され、吸盤１３６及び真空ポンプ１３９によって検出器１が開閉器５に固定されたときに、復元力により面状ヒータ１３７及び温度センサ１３８を開閉器５の表面に押し当てる。制御基板１３Ｂは、通信部１１、処理部１４や記憶部１５が搭載される基板である。電池１３Ｃは、電源部１６に相当し、例えば、単三電池１０本で実現される。
【００２４】
＝＝＝リモコン＝＝＝
以下、図８及び図９を参照して、本実施形態におけるリモコンについて説明する。図８は、本実施形態におけるリモコンを示すブロック図である。図９は、本実施形態におけるリモコンのボタン等を示す図である。
【００２５】
＝ハードウエア＝
リモコン２は、通信部２１、表示部２２、入力部２３、処理部２４、記憶部２５及び電源部２６を有する。通信部２１は、検出器１と無線通信を行う部分であり、例えば、無線送受信機等によって実現される。表示部２２は、処理部２４からの指示によりデータを表示する部分であり、例えば、液晶ディスプレイ（ＬＣＤ：Liquid Crystal Display）等によって実現される。入力部２３は、オペレータが項目の選択や設定を行う部分であり、例えば、操作ボタン等によって実現される。処理部２４は、各部間のデータの受け渡しを行うととともに、リモコン２を統括制御するものであり、ＣＰＵが所定のメモリに格納されたプログラムを実行することによって実現される。記憶部２５は、処理部２４からデータを記憶したり、記憶したデータを読み出したりするものであり、例えば、フラッシュメモリやハードディスク装置等の不揮発性記憶装置によって実現される。電源部２６は、リモコン２の各部に電力を供給する電源であり、例えば、電池によって実現される。
【００２６】
リモコン２（図９）は、ディスプレイ２２１、タイマ設定ボタン２３３、真空ポンプ入切ボタン２３４及び電源入切ボタン２３５を、前面に有する。
【００２７】
ディスプレイ２２１は、例えば、浸水判定結果を表示したりする装置であり、表示部２２に含まれる。タイマ設定ボタン２３３は、検出器１における加熱時間（所定時間）を設定するのに用いられる。尚、加熱時間とは、面状ヒータ１３７がオンしてからオフするまでの時間である。例えば、加熱時間が３０秒に設定されている場合、面状ヒータ１３７は、３０秒間だけ開閉器５を加熱する。真空ポンプ切ボタン２３４は、検出器１の真空ポンプ１３９を切るボタンであり、検出器１の真空ポンププルスイッチ１３２の代用である。電源入切ボタン２３５は、リモコン２の電源を入切するボタンである。
【００２８】
＝＝＝浸水量情報＝＝＝
以下、図１０を参照して、本実施形態における浸水量情報について説明する。図１０は、本実施形態における浸水量情報を示す図である。尚、温度上昇幅は、検出器１の面状ヒータ１３７を用いて開閉器５、他の開閉器夫々を加熱時間だけ加熱する前後夫々における開閉器５、他の開閉器の温度差を示す。つまり、例えば、開閉器５の温度上昇幅は、面状ヒータ１３７を用いて開閉器５を加熱時間だけ加熱する前の開閉器５の温度と、面状ヒータ１３７を用いて加熱時間だけ開閉器５を加熱した後の開閉器５の温度との差分を示している。尚、開閉器５の温度は、温度センサ１３８によって検出される。
【００２９】
浸水量情報Ｄ１、Ｄ２は、検出器１の記憶部１５に記憶されている。尚、例えば、記憶部１５には、浸水量情報Ｄ１、Ｄ２以外の他の浸水量情報も記憶されていることとしてもよい。浸水量情報Ｄ１、Ｄ２は、例えば、実験等に基づいて作成されることとしてもよいし、シミュレーション等によって作成されることとしてもよい。
【００３０】
浸水量情報Ｄ１は、開閉器５を加熱時間だけ加熱したときの開閉器５の温度上昇幅と、開閉器５の温度上昇幅に対する浸水量水位との関係を示している。尚、浸水量情報Ｄ１は、開閉器５の温度上昇幅と温度上昇幅に対する開閉器５の浸水量との関係を示していることとしてもよい。
【００３１】
浸水量情報Ｄ２は、浸水量情報Ｄ１と同様な情報であり、他の開閉器を加熱時間だけ加熱したときの他の開閉器の温度上昇幅と、他の開閉器の温度上昇幅に対する浸水量水位との関係を示している。尚、浸水量情報Ｄ２は、他の開閉器の温度上昇幅と温度上昇幅に対する他の開閉器の浸水量との関係を示していることとしてもよい。尚、他の開閉器は、開閉器５とは仕様が異なる開閉器を示している。
【００３２】
開閉器５及び他の開閉器は、例えば、開閉器５及び他の開閉器夫々の筺体の材質、大きさ等が異なるために、浸水量が同様な際に同様な熱量を付与（加熱）したとき、温度上昇幅が異なることになる。そして、例えば、浸水量情報Ｄ１、Ｄ２は、温度上昇幅がＴ１のとき、開閉器５については浸水量がＷ１であり、他の開閉器については浸水量がＷ２であることを示している。
【００３３】
例えば、開閉器５の浸水量を推定する場合、浸水量の推定精度を向上させるためには、浸水量情報Ｄ１、Ｄ２のうちの開閉器５に対応する浸水量情報Ｄ１に基づいて開閉器５の浸水量を推定することが必要となる。
【００３４】
＝＝＝シール＝＝＝
以下、図１１を参照して、本実施形態におけるシールについて説明する。図１１は、本実施形態における開閉器に貼付されたシールを示す図である。
【００３５】
シール８は、開閉器５を識別するのに用いられる。シール８は、更に、検出器１の取付位置を示している。シール８の外形は、略矩形形状を呈する。シール８の色は、開閉器５の底面５１の色とは異なっている。シール８は、バーコード８２、露出開口８３を有する。
【００３６】
露出開口８３は、開閉器５の底面５１における取付位置をシール８から露出させるための開口である。尚、取付位置とは、底面５１における検出器１が取り付けられるべき位置である。取付位置は、例えば、検出器１を用いた実験に基づいて浸水量情報Ｄ１が作成されている場合、浸水量情報Ｄ１を作成する際に検出器１が取り付けられた開閉器５の所定位置であることとしてもよい。
【００３７】
露出開口８３は、例えば、略矩形形状を呈する。この露出開口８３によって、シール８は、取付位置の周囲を取り囲む環形状を呈することになる。更に、露出開口８３は、例えば、検出器１の外形に対応する形状を呈する。
【００３８】
バーコード８２は、開閉器５を識別するための識別情報を示している。バーコード８２は、シール８における４つの縁部のうちの＋Ｘ側の一の縁部に設けられる。尚、４つの縁部とは、例えば、長手方向がＸ軸に沿っておりＹ軸において隣り合う２つの縁部と、長手方向がＹ軸に沿っておりＸ軸において隣り合う２つの縁部とを示している。バーコード８２は、検出器１が取付位置に取り付けられたときに読取装置７１がバーコード８２の識別情報を読み取ることができる位置に設けられている。尚、例えば、検出器１が取付位置以外に取り付けられたとき、読取装置７１はバーコード８２の識別情報を読み取ることができなくなる。
【００３９】
＝＝＝識別情報の読み取り＝＝＝
以下、図１２及び図１３を参照して、本実施形態における識別情報の読み取りについて説明する。図１２は、本実施形態における識別情報の読み取りが可能な状態の検出器と開閉器を示す図である。図１３は、本実施形態における識別情報の読み取りが可能でない状態の検出器と開閉器を示す図である。尚、図１２及び１３においては、読取装置７１は見えない状態となっているが、説明の便宜上、破線で示されている。
【００４０】
＜読み取りが可能な場合＞
例えば、検出器１の外形における−Ｚ側が露出孔８３の周囲に沿うように、検出器１が底面５１に取り付けられた場合、バーコード８２が示している識別情報を読み取れるように、読取装置７１がバーコード８２と対向する（図１２）。この場合、検出器１による推定対象の開閉器を識別することが可能となるので、検出器１による浸水量の推定が可能となる。尚、この識別情報を読み取り可能な位置は、取付位置に対応している。
【００４１】
＜読み取りが可能でない場合＞
例えば、検出器１の位置がずれた場合（図１３）、読取装置７１がバーコード８２の識別情報を読み取れなくなる。この場合、検出器１による推定対象の開閉器を識別することができないので、検出器１による浸水量の推定ができなくなる。
【００４２】
以上より、例えば、検出器１が取付位置に取り付けられた場合にのみ検出器１が浸水量の推定を行えることに基づいて、検出器１が取付位置に取り付けられているか否かの判断を行うことができる。
【００４３】
＝＝＝処理部＝＝＝
以下、図３及び図１０を参照して、本実施形態における処理部について説明する。
【００４４】
検出器１の処理部１４は、検出器１が取り付けられた開閉器の浸水量を推定する。
【００４５】
処理部１４は、読取装置７１が読み取った識別情報に基づいて、推定対象となる開閉器に対応する浸水量情報を選択する。この後、処理部１４は、選択された浸水量情報及び温度センサ１３８の検出結果に基づいて、浸水量を推定する。
【００４６】
例えば、読取装置７１に読み取られた識別情報が開閉器５を示しており、面状ヒータ１３７を用いて加熱時間だけ開閉器５を加熱した際の温度上昇幅がＴ１である場合の処理部１４の動作について説明する。
【００４７】
処理部１４は、推定対象となる開閉器としての開閉器５の浸水量情報Ｄ１を選択する。この後、処理部１４は、面状ヒータ１３７を加熱時間だけ動作させる。処理部１４は、温度センサ１３８の検出結果に基づいて、温度上昇幅をＴ１であると検出する。処理部１４は、浸水量情報Ｄ１における温度上昇幅Ｔ１に対応する浸水量水位Ｗ１を、開閉器５の浸水量と定める（推定する）。
【００４８】
＝＝＝検出器の動作＝＝＝
以下、図１、図１０及び図１２を参照して、本実施形態における検出器の動作について説明する。
【００４９】
検出器１は、シール８を目印として開閉器５の底面５１における取付位置に取り付けられる。検出器１は、例えば、図１２の状態となるように取り付けられる。尚、図１２の状態となるように取り付けられていない場合、検出器１は浸水量を推定できずに、検出器１が取付位置に取り付けられていないことを示すエラー信号を検出器１が出力することとしてもよい。当該エラー信号が出力された場合、再度、検出器１の取り付けが行われる。
【００５０】
尚、検出器１による浸水量を推定する動作は、例えば、リモコン２のタイマ設定ボタン２３３によって加熱時間が設定された後に開始されることとしてもよい。
【００５１】
検出器１が取付位置に取り付けられた後、検出器１は、バーコード８２の識別情報を読み取る。検出器１は、推定対象となる開閉器としての開閉器５の浸水量情報Ｄ１を選択する。この後、検出器１は、面状ヒータ１３７を加熱時間だけ動作させる。検出器１は、温度センサ１３８の検出結果に基づいて、温度上昇幅を例えばＴ１であると検出する。検出器１は、浸水量情報Ｄ１における温度上昇幅Ｔ１に対応する浸水量水位Ｗ１を、開閉器５の浸水量と定める（推定する）。
【００５２】
[第２実施形態]
＝＝＝シール＝＝＝
以下、図１４を参照して、本実施形態におけるシールについて説明する。図１４は、本実施形態における開閉器に貼付されたシールを示す図である。尚、図１１と同様な構成には、同様な符号を付しその説明については省略する。
【００５３】
シール９は、シール８（図１１）の構成と同様な構成のシールである。
【００５４】
シール９は、バーコード９２Ａ、９２Ｂ、９２Ｃ、９２Ｄを有する。バーコード９２Ａ、９２Ｂ、９２Ｃ、９２Ｄは夫々、開閉器５を識別するための識別情報を示している。バーコード９２Ａ、９２Ｂ、９２Ｃ、９２Ｄは、シール９における４つの縁部夫々に設けられる。これらの構成により、例えば、開閉器５に対する検出器１の取付位置が９０度ずれた際においても、開閉器５の浸水量の推定を行うことが可能となる。従って、開閉器５に対する検出器１の取り付けが比較的容易となるために、検出器１の使い勝手を向上させることができる。
【００５５】
前述したように、検出器１は、夫々を識別するための識別情報が夫々付されている開閉器５、他の開閉器のうちの一の開閉器の浸水量を推定する装置である。検出器１の記憶部１５には、例えば、浸水量情報Ｄ１、Ｄ２が記憶されている。浸水量情報Ｄ１は、開閉器５を加熱時間だけ加熱したときの開閉器５の温度上昇幅と、開閉器５の温度上昇幅に対応する開閉器５の浸水量との関係を示している。浸水量情報Ｄ２は、他の開閉器を加熱時間だけ加熱したときの他の開閉器の温度上昇幅と、他の開閉器の温度上昇幅に対応する他の開閉器の浸水量との関係を示している。読取装置７１は、開閉器５、他の開閉器に付されている識別情報を読み取る。処理部１４は、読取装置７１によって識別情報が読み取られた例えば開閉器５を加熱時間だけ加熱した際の開閉器５の温度上昇幅と、記憶部１５に記憶されている浸水量情報Ｄ１、Ｄ２のうちの読取装置７１によって識別情報が読み取られた開閉器５に対応する浸水量情報Ｄ１と、に基づいて開閉器５の浸水量を推定する。検出器１は、開閉器５における識別情報が付されている面に取り付けられる。従って、検出器１は、開閉器５における取付位置に取り付けられる。更に、検出器１は、推定対象である例えば開閉器５に対応する浸水量情報Ｄ１に基づいて浸水量を推定することができる。よって、開閉器５の浸水量の推定精度を向上させることができる。
【００５６】
又、識別情報は、開閉器５に貼付されるシール８に記されている。よって、開閉器５における取付位置に対応する位置に対して識別情報を確実に付すことができる。又、開閉器５に対して識別情報を付すのが比較的容易となる。又、検出器１を取付位置に確実に取り付けることにより、開閉器５の浸水量の推定精度を向上させることができる。
【００５７】
又、検出器１には、読取装置７１が設けられている。識別情報は、バーコード８２としてシール８に記されている。シール８は、開閉器５における検出器１が取り付けられるべき取付位置に対応する位置に貼付されている。検出器１は、読取装置７１がバーコード８２と対向して識別情報を読み取れるように、シール８を目印として開閉器５に取り付けられる。例えば、識別情報が記憶されたＩＣチップ等が不要となるために、開閉器５の浸水量を推定するためのコストを低減させることができる。例えば、読取装置７１が識別情報を読み取れるか否かに基づいて、検出器１が取付位置に取り付けられているか否かの判断を行うことができる。そして、取付位置に対して読取装置７１を確実に取り付けることにより、開閉器５の浸水量の推定精度を向上させることができる。
【００５８】
又、シール８の色は、開閉器５の色とは異なっている。シール８は、開閉器５に貼付された際に、取付位置の周囲を取り囲む環形状を呈している。検出器１は、シール８に取り囲まれている取付位置に取り付けられる。開閉器５に貼付されているシール８が目立たせて、開閉器５に対してシール８を目印として検出器１を取り付ける作業の作業効率を向上させることができる。又、開閉器５における識別情報が付されている面以外の面に対して検出器１が誤って取り付けられるのを防止することにより、開閉器５の浸水量の推定精度を向上させることができる。
【００５９】
又、シール８の内形（露出開口８３）は、検出器１の外形に対応する形状を呈しており、検出器１は、検出器１の外形がシール８の内形に沿うように取り付けられる。従って、検出器１を確実に取付位置に取り付けることができるために、開閉器５の浸水量の推定精度を向上させることができる。
【００６０】
又、識別情報は、開閉器５の底面５１に付されている。ここで、例えば、開閉器５における筐体の肉厚が底面５１を含む全面において同様な場合、浸水した水が開閉器５の筐体内部において底面５１に対して一様に貯留されるので、加熱時間だけ加熱した際の浸水量の一定変化量に対する温度上昇幅の変化量は、開閉器５の全面のうち底面５１が最大となる。つまり、例えば、図１０における浸水量情報Ｄ１の傾きについては、開閉器５における全面のうち底面５１における浸水量情報Ｄ１の傾きが最も急な傾きとなる。従って、例えば、加熱時間だけ加熱した際の温度上昇幅に一定の誤差がある場合、底面５１を取付位置とすることにより、温度上昇幅の誤差に基づく開閉器５の浸水量の推定誤差を低減することができる。従って、開閉器５の浸水量の推定精度を向上させることができる。
【００６１】
尚、第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６２】
尚、第１実施形態においては、検出器１が電力機器としての開閉器５の浸水量を推定することについて説明したが、これに限定されるものではない。例えば、柱上変圧器等の筺体を有する電力機器の浸水量を検出器１が推定することとしてもよい。
【００６３】
又、第１実施形態においては、シール８が開閉器５の底面５１に貼付されることについて説明したが、これに限定されるものではない。例えば、シール８が開閉器５における側面等に貼付されることとしてもよい。
【００６４】
又、第１実施形態においては、バーコード８２がシール８に記されていることについて説明したが、これに限定されるものではない。例えば、開閉器５の底面５１にバーコード８２が直接記されていることとしてもよい。
【００６５】
又、第１実施形態においては、識別情報がバーコード８２として記されていることについて説明したがこれに限定されるものではない。例えば、識別情報が記憶されており、且つ、近距離無線通信を行えるＩＣタグが底面５１に設けられることとしてもよい。この場合、読取装置７１が、当該ＩＣタグに記憶されている識別情報を読み取ることとしてもよい。
【符号の説明】
【００６６】
１          検出器
５          開閉器
８、９      シール
１４        処理部
１５        記憶部
７１        読取装置
【図１】
2015141020.tif 000003
【図２】
2015141020.tif 000004
【図３】
2015141020.tif 000005
【図４】
2015141020.tif 000006
【図５】
2015141020.tif 000007
【図６】
2015141020.tif 000008
【図７】
2015141020.tif 000009
【図８】
2015141020.tif 000010
【図９】
2015141020.tif 000011
【図１０】
2015141020.tif 000012
【図１１】
2015141020.tif 000013
【図１２】
2015141020.tif 000014
【図１３】
2015141020.tif 000015
【図１４】
2015141020.tif 000016